(57)【特許請求の範囲】
【請求項１】
複数の多次元の色変換ルックアップテーブルと、
前記色変換ルックアップテーブルを印刷の目的に基づいて選択する色変換選択部と、
印刷の目的、印刷用紙種別及び画質の組み合わせに対応する複数の出力モードのそれぞれに応じた２次色以上の再現域の変化に基づく補正を行うための補正ルックアップテーブルと、
取得した印刷の目的、印刷用紙種別及び画質に対応する前記出力モードを設定する出力モード設定部と、
前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部と、を備え、
前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されることを特徴とするカラー画像処理装置。
【請求項２】
前記補正ルックアップテーブルの格子点数は、前記色変換ルックアップテーブルの格子点数と等しい、または、前記色変換ルックアップテーブルの格子点数よりも少ないことを特徴とする請求項１に記載のカラー画像処理装置。
【請求項３】
前記補正ルックアップテーブルは、高濃度または低明度領域の格子点データのみを有することを特徴とする請求項１または２記載のカラー画像処理装置。
【請求項４】
前記色変換処理部によって色変換処理されたカラー画像信号を用いて記録媒体に画像を形成する出力装置をさらに備え、
前記出力装置のトナー使用量は、前記記録媒体および前記出力装置のプロセススピードに応じた最適な量よりも少なく設定されることを特徴とする請求項１〜３のいずれかに記載のカラー画像処理装置。
【請求項５】
前記出力モード設定部は、トレイ及びプロセススピードに関する情報を保持していない場合に、前記出力装置からプロセススピードを取得し、新たにトレイ及びプロセススピードを取得するまで前記取得したプロセススピードを保持することを特徴とする請求項４に記載のカラー画像処理装置。
【請求項６】
出力モードの設定が可能であり、かつ、カラー画像信号を出力する画像入力端末と、
複数の多次元の色変換ルックアップテーブルと、前記色変換ルックアップテーブルを印刷の目的に基づいて選択する色変換選択部と、印刷の目的、印刷用紙種別及び画質の組み合わせに対応する複数の出力モードのそれぞれに応じた２次色以上の再現域の変化に基づく補正を行うための補正ルックアップテーブルと、取得した印刷の目的、印刷用紙種別及び画質に対応する前記出力モードを設定する出力モード設定部と、前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部と、を備え、前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されるカラー画像処理部と、
前記色変換処理部によって色変換処理された前記カラー画像信号を用いて記録媒体に画像を形成する出力部とを備えることを特徴とするカラー画像処理システム。
【請求項７】
前記補正ルックアップテーブルの格子点数は、前記色変換ルックアップテーブルの格子点数と等しい、または、前記色変換ルックアップテーブルの格子点数よりも少ないことを特徴とする請求項６記載のカラー画像処理システム。
【請求項８】
前記補正ルックアップテーブルは、低明度または高濃度領域の格子点データのみを有することを特徴とする請求項６または７記載のカラー画像処理システム。
【請求項９】
前記出力部のトナー使用量は、前記記録媒体および前記出力部のプロセススピードに応じた最適な量よりも少なく設定されることを特徴とする請求項６〜８のいずれかに記載のカラー画像処理システム。
【請求項１０】
前記出力モード設定部は、トレイ及びプロセススピードに関する情報を保持していない場合に、前記出力部からプロセススピードを取得し、新たにトレイ及びプロセススピードを取得するまで、前記取得したプロセススピードを保持することを特徴とする請求項６〜９のいずれかに記載のカラー画像処理システム。
【請求項１１】
コンピュータを、
複数の多次元の色変換ルックアップテーブルと、
前記色変換ルックアップテーブルを印刷の目的に基づいて選択する色変換選択部と、
印刷の目的、印刷用紙種別及び画質の組み合わせに対応する複数の出力モードのそれぞれに応じた２次色以上の再現域の変化に基づく補正を行うための補正ルックアップテーブルと、
取得した印刷の目的、印刷用紙種別及び画質に対応する前記出力モードを設定する出力モード設定部と、
前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部と、して機能させ、
前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されることを特徴とするカラー画像処理プログラム。
【請求項１２】
前記補正ルックアップテーブルの格子点数は、前記色変換ルックアップテーブルの格子点数と等しい、または、前記色変換ルックアップテーブルの格子点数よりも少ないことを特徴とする請求項１１に記載のカラー画像処理プログラム。
【請求項１３】
前記補正ルックアップテーブルは、高濃度または低明度領域の格子点データのみを有することを特徴とする請求項１１または１２に記載のカラー画像処理プログラム。
【請求項１４】
前記コンピュータを、前記色変換処理部によって色変換処理されたカラー画像信号を用いて記録媒体に画像を形成する出力装置としてさらに機能させ、
前記出力装置のトナー使用量は、前記記録媒体および前記出力装置のプロセススピードに応じた最適な量よりも少なく設定されることを特徴とする請求項１１〜１３のいずれかに記載のカラー画像処理プログラム。
【請求項１５】
前記出力モード設定部は、トレイ及びプロセススピードに関する情報を保持していない場合に、前記出力装置からプロセススピードを取得し、新たにトレイ及びプロセススピードを取得するまで前記取得したプロセススピードを保持することを特徴とする請求項１４に記載のカラー画像処理プログラム。
【発明の詳細な説明】
【技術分野】
【０００１】
本発明は、カラー画像処理装置、カラー画像処理システム、カラー画像処理方法およびカラー画像処理プログラムに関する。
【背景技術】
【０００２】
カラー画像処理装置は、例えば、与えられたカラー画像信号に基づいて記録媒体にカラー画像を形成する際に、色特性を記述したルックアップテーブルを利用してカラー画像処理を行う。画像を形成する記録媒体の種類によって色再現特性が大きく異なるため、カラー画像処理装置は、記録媒体ごとに上記ルックアップテーブルを所有する。しかしながら、想定外の記録媒体に画像を形成しようとすると再現される色が異なってしまうおそれがある。
【０００３】
そこで、記録媒体の色再現特性を１次元γ特性カーブにより調整する技術が開示されている（例えば、特許文献１参照）。この技術によれば、想定外の記録媒体に対しても、カラープリンタの色材色の単色γ特性を好適に補正することが可能である。
【０００４】
【特許文献１】特開２００３−３３８９３９号公報
【発明の開示】
【発明が解決しようとする課題】
【０００５】
しかしながら、特許文献１の技術では１次元の階調特性を容易に調整することができるが、２次色以上の色再現特性は、記録媒体の種類、プロセススピードの大小等によって大きく変化する。したがって、特許文献１の技術を用いた場合には、色再現特性の差を吸収することができなくなる。
【０００６】
特に、低明度・高濃度部においては、記録媒体の種類およびプロセススピードの大小による色再現特性の差が大きくなる。それにより、異なる記録媒体およびプロセススピードごとに色変換テーブルを作成する必要がある。この場合、色変換テーブル作成に要する時間およびテーブル格納容量が膨大になってしまう。また、記録媒体の種類によりトナー総量も変化するが、トナー総量を１次元γ特性カーブによって制御した場合には色バランスを保つことが困難である。
【０００７】
本発明は、２次色以上の再現特性の差を吸収することができるカラー画像処理装置、カラー画像処理システム、カラー画像処理方法およびカラー画像処理プログラムを提供することを目的とする。
【課題を解決するための手段】
【０００８】
本発明に係るカラー画像処理装置は、複数の多次元の色変換ルックアップテーブルと、前記色変換ルックアップテーブルを印刷の目的に基づいて選択する色変換選択部と、
印刷の目的、印刷用紙種別及び画質の組み合わせに対応する複数の出力モードのそれぞれに応じた２次色以上の再現域の変化に基づく補正を行うための補正ルックアップテーブルと、取得した印刷の目的、印刷用紙種別及び画質に対応する前記出力モードを設定する出力モード設定部と、前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部と、を備え、前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されることを特徴とするものである。
【０００９】
本発明に係るカラー画像処理装置においては、色変換ルックアップテーブルおよび補正ルックアップテーブルに基づいてカラー画像信号が色変換処理される。この場合、２次色以上の再現特性の差が吸収される。また、補正ルックアップテーブルがあらかじめ作成されていることから、色変換テーブルの作成に要する時間およびテーブル容量を削減することができる。
【００１１】
補正ルックアップテーブルの格子点数は、色変換ルックアップテーブルの格子点数と等しい、または、色変換ルックアップテーブルの格子点数よりも少なくてもよい。また、補正ルックアップテーブルは、高濃度または低明度領域の格子点データのみを有していてもよい。この場合、補正ルックアップテーブルにおけるデータ量を抑制することができる。
【００１６】
色変換処理部によって色変換処理されたカラー画像信号を用いて記録媒体に画像を形成する出力装置をさらに備え、出力装置のトナー使用量は、記録媒体および出力装置のプロセススピードに応じた最適な量よりも少なく設定されていてもよい。この場合、色バランスを保ちつつ、トナー使用量を削減することができる。出力モード設定部は、トレイ及びプロセススピードに関する情報を保持していない場合に、出力装置からプロセススピードを取得し、新たにトレイ及びプロセススピードを取得するまで取得したプロセススピードを保持してもよい。
【００１７】
本発明に係るカラー画像処理システムは、出力モードの設定が可能であり、かつ、カラー画像信号を出力する画像入力端末と、複数の多次元の色変換ルックアップテーブルと前記色変換ルックアップテーブルを印刷の目的に基づいて選択する色変換選択部と印刷の目的、印刷用紙種別及び画質の組み合わせに対応する複数の出力モードのそれぞれに応じた２次色以上の再現域の変化に基づく補正を行うための補正ルックアップテーブルと取得した印刷の目的、印刷用紙種別及び画質に対応する前記出力モードを設定する出力モード設定部と前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部とを備え、前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されるカラー画像処理部と、前記色変換処理部によって色変換処理された前記カラー画像信号を用いて記録媒体に画像を形成する出力部とを備えることを特徴とするものである。
【００１８】
本発明に係るカラー画像処理システムにおいては、画像入力端末によって出力モードが設定され、色変換ルックアップテーブルおよび出力モードに応じた補正ルックアップテーブルに基づいてカラー画像信号が色変換処理される。この場合、２次色以上の再現特性の差が吸収される。また、補正ルックアップテーブルがあらかじめ作成されていることから、色変換テーブルの作成に要する時間およびテーブル容量を削減することができる。
【００２１】
本発明に係るカラー画像処理プログラムは、コンピュータを、複数の多次元の色変換ルックアップテーブルと、前記色変換ルックアップテーブルを印刷の目的に基づいて選択する色変換選択部と、印刷の目的、印刷用紙種別及び画質の組み合わせに対応する複数の出力モードのそれぞれに応じた２次色以上の再現域の変化に基づく補正を行うための補正ルックアップテーブルと、取得した印刷の目的、印刷用紙種別及び画質に対応する前記出力モードを設定する出力モード設定部と、前記色変換選択部に選択された色変換ルックアップテーブルおよび前記出力モード設定部に設定された出力モードに応じた補正ルックアップテーブルを用いて、入力されたカラー画像信号に対して色変換処理を行う色変換処理部と、して機能させ、前記補正ルックアップテーブルにおいて、高濃度または低明度領域の格子点間隔は、高明度または低濃度領域の格子点間隔に比較して小さく、かつ、前記出力モードは、プロセススピード及び用紙種別に基づいたトナー溶融性を含んで構成されることを特徴とするものである。
【００２２】
本発明に係るカラー画像処理プログラムが実行されれば、色変換ルックアップテーブルおよび補正ルックアップテーブルに基づいてカラー画像信号が色変換処理される。それにより、２次色以上の再現特性の差が吸収される。また、補正ルックアップテーブルがあらかじめ作成されていることから、色変換テーブルの作成に要する時間およびテーブル容量を削減することができる。
【発明の効果】
【００２３】
本発明によれば、２次色以上の再現特性の差が吸収される。また、色変換テーブルの作成に要する時間およびテーブル容量を削減することができる。
【発明を実施するための最良の形態】
【００２４】
以下、本発明を実施するための最良の形態を説明する。
【実施例１】
【００２５】
図１は、本発明の第１実施例に係るカラー画像処理システム１の全体構成を示すブロック図である。図１に示すように、カラー画像処理システム１は、画像入力端末２およびカラー画像処理装置３を含む。画像入力端末２としては、コンピュータ等の端末を用いることができる。カラー画像処理装置３としては、カラープリンタ等の画像処理装置を用いることができる。本実施例においては、カラー画像処理装置３は、コントローラ１０および画像出力部２０を含む。
【００２６】
コントローラ１０は、ＣＰＵ（中央演算処理装置）、ＲＡＭ（ランダムアクセスメモリ）、ＲＯＭ（リードオンリメモリ）等から構成される。コントローラ１０のＲＯＭには、カラー画像処理装置３のカラー画像処理プログラムが格納されている。コントローラ１０は、格納されているカラー画像処理プログラムによる命令に基づいて後述する画像処理を行う。画像出力部２０は、カラープリンタエンジン等を含む出力装置から構成される。
【００２７】
図２は、コントローラ１０および画像出力部２０の詳細を示すブロック図である。図２に示すように、コントローラ１０は、出力モード設定部１１、標準色変換処理部１２、色変換テーブル格納部１３、色変換テーブル選択部１４、出力モード色補正処理部１５、出力補正テーブル格納部１６および出力補正テーブル選択部１７を含む。コントローラ１０の各部は、コントローラ１０に格納されているカラー画像処理プログラムが実行されることによって実現されたものである。画像出力部２０は、カラープリンタエンジン２１を含む出力装置２２を備える。
【００２８】
続いて、図１〜図１１を参照してカラー画像処理システム１の動作について説明する。ユーザは、画像入力端末２に対して印刷目的、印刷用紙種別、画質、出力指示を入力することができる。印刷目的には、例えば、「ビジネス文書」、「グラフィックス」、「鮮やか」、「写真」等が含まれる。また、印刷用紙種別には、例えば、「コート紙」、「普通紙」等が含まれる。画質には、例えば、「低画質」および「高画質」が含まれる。
【００２９】
画像入力端末２は、ユーザによる出力指示がなされた場合に、出力モード設定部１１に出力指示を与えるとともに入力カラー画像信号を標準色変換処理部１２に与える。入力カラー画像信号は、Ｒ（レッド）データ、Ｇ（グリーン）データおよびＢ（ブルー）データを含む。出力モード設定部１１は、出力指示が与えられた場合に、印刷目的、印刷用紙種別および画質を画像入力端末２から取得し、取得した印刷目的、印刷用紙種別および画質に対応する出力モードを設定する。その後、出力モード設定部１１は、設定された出力モードを色変換テーブル選択部１４および出力補正テーブル選択部１７に与える。
【００３０】
図３は、出力モード設定部１１によって設定される出力モードの種類を示す図である。図３に示すように、各出力モードは、印刷目的、印刷用紙種別および画質に基づいて、トレイ種別とプロセススピード、トナー総量およびトナー定着温度からなるトナー溶融性とが設定されている。本実施例においては、コート紙について出力モード１〜出力モード３の３種類の出力モードが用意され、普通紙について出力モード４〜出力モード８の５種類の出力モードが用意されている。出力モード設定部１１は、ユーザにより入力された印刷目的、印刷用紙種別および画質に対応する出力モードを選択する。
【００３１】
図４は、標準色変換テーブルの一例を示す。図４に示すように、本実施例においてはテーブル１〜テーブル４からなる４種類の標準色変換テーブルが用意されている。テーブル１〜テーブル４のそれぞれは、「ビジネス文書」、「グラフィックス」、「鮮やか」および「写真」からなる４種類の印刷目的にそれぞれ対応している。各標準色変換テーブルは、入力カラー画像信号を多次元の色信号に変換するための格子点データからなる。
【００３２】
色変換テーブル選択部１４は、色変換テーブル格納部１３に格納されている複数の標準色変換テーブルから、ユーザによって入力された印刷目的に対応する標準色変換テーブルを選択して標準色変換処理部１２に与える。なお、各標準色変換テーブルは、出力モードが図３の出力モード２である場合を想定して設定されている。
【００３３】
図５は、標準色変換処理部１２および出力モード色補正処理部１５による入力カラー画像信号の色変換処理について説明するための図である。図５に示すように、標準色変換処理部１２は、与えられた標準色変換テーブルを用いて色分解処理を行う。本実施例においては、標準色変換処理部１２は、入力カラー画像信号を標準ＣＭＹＫ画像信号に変換する。標準ＣＭＹＫ画像信号は、Ｃ１（シアン）データ、Ｍ１（マゼンタ）データ、Ｙ１（イエロ）データおよびＫ１（ブラック）データを含む。
【００３４】
標準色変換処理部１２は、標準ＣＭＹＫ画像信号を出力モード色補正処理部１５に与える。出力補正テーブル選択部１７は、出力補正テーブル格納部１６に格納されている複数の出力補正テーブルから、ユーザによって入力された印刷目的、印刷用紙種別および画質に対応する出力補正テーブルを選択して出力モード色補正処理部１５に与える。
【００３５】
図６は、出力補正テーブルの一例を示す。図６に示すように、本実施例においては、テーブルＡ〜テーブルＨからなる８種類の出力補正テーブルが用意されている。テーブルＡ〜テーブルＨは、標準ＣＭＹＫ画像信号を補正するための格子点データからなる。出力補正テーブルは、各出力モードで印刷したカラーパッチを測色し、モデル化することによって作成することができる。なお、各出力補正テーブルは、図３の出力モード７の条件におけるトナー溶融性を基準として作成されている。
【００３６】
なお、色再現域は出力モードが異なることによって変化する。以下、図７および図８を用いて説明する。図７はコート紙および普通紙の色再現域（ａ＊ｂ＊）を示す図であり、図８はコート紙および普通紙の色再現域（ＬＣ）を示す図である。ここで、図７のａ＊ｂ＊は、ＣＩＥ−Ｌ＊ａ＊ｂ＊表色系のａ＊ｂ＊を示す。図８のＬおよびＣは、それぞれ明度および彩度を示す。印刷用紙種別およびプロセススピードに応じてトナー溶融性が異なることから、色再現域（ａ＊ｂ＊）および色再現域（ＬＣ）は印刷用紙間における変化が大きくなる。特に、低明度または高濃度部のようなトナー総量および濃度が大きい領域ほど、異なる印刷用紙間の色再現域の変化は大きくなる。
【００３７】
ここで、高濃度および低明度の定義について説明する。高濃度とは、ＹＭＣＫの各濃度の合計がある所定の濃度Ｘよりも大きい場合をいう。濃度Ｘは印刷装置の特性等に依存するものであり、任意に定めてもよい。低明度の定義については図９を用いて説明する。図９は、明度と彩度との関係を示す図である。図９の縦軸は明度を示し、図９の横軸は彩度を示す。図９に示すように、明度がｍｉｎＬから大きくなるにつれて彩度の幅も大きくなるが、ある明度（ｍａｘＣ＿Ｌ）を境界に明度が大きくなるにつれて彩度の幅は小さくなる。ある明度に対する彩度の最大値をｍａｘＣとする。
【００３８】
ここで、ある画像信号（Ｃｍ，Ｌ）が入力された場合について考えてみる。この場合、下記式（１）、または、下記式（２）かつ（３）が成立する場合に、低明度であると定義される。
Ｌ１  ＞  Ｌ  （１）
ｍｉｎＬ  ＋  （（ｍａｘＣ＿Ｌ  −  ｍｉｎＬ）  ×  ＣＣ１）  ＞  Ｌ  （２）
Ｃｍ  ／  ｍａｘＣ  ＞  ＣＣ２  （３）
Ｌ１：明度のしきい値  ＣＣ１：明度に基づくしきい値  ＣＣ２：彩度に基づくしきい値
【００３９】
次に、図５に示すように、出力モード色補正処理部１５は、与えられた出力補正テーブルに基づいて、標準ＣＭＹＫ画像信号を補正ＣＭＹＫ画像信号に補正する。補正ＣＭＹＫ画像信号は、Ｃ０データ、Ｍ０データ、Ｙ０データおよびＫ０データを含む。本実施例においては、出力補正テーブルに基づいて標準ＣＭＹＫ画像信号が補正されることから、２次色以上の領域における各色のバランスが保たれつつトナー総量および色再現域が最適化される。
【００４０】
図２において、出力モード色補正処理部１５は、補正ＣＭＹＫ画像信号を出力装置２２に与える。出力モード設定部１１は、選択した出力モードを出力装置２２に与える。出力装置２２は、与えられた出力モードに含まれるトレイ種別に基づいて、対応するトレイを選択する。また、出力装置２２は、与えられた出力モードおよび補正ＣＭＹＫ画像信号に基づいて、選択されたトレイに格納される印刷用紙に画像を形成する。以上の動作により、カラー画像処理システム１の動作は終了する。
【００４１】
このように、本実施例に係るカラー画像処理システム１においては、異なる出力モードに応じて、標準ＣＭＹＫ画像信号が出力補正テーブルに基づいて補正されている。それにより、２次色以上の領域について各色のバランスを保ちつつトナー総量および色再現域を最適化することができる。また、出力補正テーブルがあらかじめ作成されていることから、色変換テーブルの作成に要する時間およびテーブル容量を削減することができる。
【００４２】
図１０は、カラー画像処理システム１による画像処理の一例を説明するためのフローチャートである。以下、図１０のフローチャートにしたがってカラー画像処理システム１による画像処理について説明する。まず、図１０に示すように、画像入力端末２は、印刷目的、印刷用紙種別および画質を取得する（ステップＳ１）。次に、画像入力端末２は、ユーザによって出力指示がなされたか否かを判定する（ステップＳ２）。ステップＳ２において出力指示がなされたと判定されない場合には、画像入力端末２はステップＳ１の動作から繰り返す。ステップＳ２において出力指示がなされたと判定された場合には、画像入力端末２は、出力指示を出力モード設定部１１に与える（ステップＳ３）。
【００４３】
出力モード設定部１１は、画像入力端末２から出力指示があったか否かを判定する（ステップＳ４）。ステップＳ４において出力指示があったと判定されなかった場合には、出力モード設定部１１は待機する。ステップＳ４において出力指示があったと判定された場合には、出力モード設定部１１は画像入力端末２から印刷目的、印刷用紙種別および画質を取得した後に出力モードを設定し、標準色変換処理部１２は画像入力端末２から入力カラー画像信号を取得する（ステップＳ５）。
【００４４】
次に、色変換テーブル選択部１４は、色変換テーブル格納部１３に格納されている複数の標準色変換テーブルから、出力モード設定部１１が取得した印刷目的に対応する標準色変換テーブルを選択する（ステップＳ６）。次いで、出力補正テーブル選択部１７は、出力補正テーブル格納部１６に格納されている出力補正テーブルから、出力モード設定部１１が取得した出力モードに対応する出力補正テーブルを選択する（ステップＳ７）。
【００４５】
次に、標準色変換処理部１２は、色変換テーブル選択部１４が選択した標準色変換テーブルに基づいて、入力カラー画像信号を標準ＣＭＹＫ画像信号に変換する（ステップＳ８）。次いで、出力モード色補正処理部１５は出力補正テーブル選択部１７が選択した出力補正テーブルに基づいて標準ＣＭＹＫ画像信号を補正ＣＭＹＫ画像信号に変換して出力装置２２に与え、出力モード設定部１１は出力モードを出力装置２２に与える（ステップＳ９）。
【００４６】
次に、出力装置２２は、与えられた出力モードに基づいて出力装置２２の出力モードを設定する（ステップＳ１０）。次いで、出力装置２２は、ステップＳ９において設定された出力モードと出力モード色補正処理部１５から与えられた補正ＣＭＹＫ画像信号に基づいて、印刷用紙に画像を形成する（ステップＳ１１）。以上の動作により画像処理が終了する。
【００４７】
以上のように、図１０のフローチャートを用いることによって、異なる出力モードに応じて、標準ＣＭＹＫ画像信号を補正することができる。なお、ステップＳ４〜ステップＳ１１は、コントローラ１０に格納されているカラー画像処理プログラムの命令に基づいている。
【００４８】
なお、本実施例に係る画像処理装置３は、入力カラー画像信号をＬ＊ａ＊ｂ＊画像信号に変換した後に補正ＣＭＹＫ画像信号に変換してもよい。図１１は、入力カラー画像信号の変換について説明するための図である。この場合、図１１に示すように、標準色変換処理部１２は、与えられた標準色変換テーブルに基づいて入力カラー画像信号をＬ＊ａ＊ｂ＊画像信号に変換する。続いて、出力モード色補正処理部１５は、与えられた出力補正テーブルに基づいて、Ｌ＊ａ＊ｂ＊画像信号を補正ＣＭＹＫ画像信号に補正する。
【００４９】
また、出力補正テーブルにおいては、明度およびトナー濃度によって格子点データの格子点間隔に差が設けてあってもよい。図１２は、出力補正テーブルにおいて設定される格子点データ３０の格子点間隔について説明するための図である。図１２においては、トナー濃度に応じた格子点間隔について説明する。図１２（ａ）および（ｃ）は格子点間隔を立体的に表した図であり、図１２（ｂ）は格子点間隔と濃度との関係を示す図である。
【００５０】
図１２（ａ）および（ｂ）に示すように、領域Ａ１，Ａ２は高濃度領域であり、領域Ｂは低濃度領域である。また、領域Ａ２の濃度は領域Ａ１の濃度よりも大きくなっている。領域Ａ１においては格子点データ３０の格子点間隔を小さく設定してもよい。また、領域Ａ１の濃度よりも大きい濃度を有する領域Ａ２においては、格子点データ３０の格子点間隔をさらに小さく設定してもよい、さらに、領域Ｂにおいては格子点データ３０の格子点間隔を大きく設定してもよい。同様に、低明度領域において格子点間隔を小さく設定し、高明度領域においては格子点間隔を大きく設定してもよい。
【００５１】
低明度または高濃度領域においては色再現特性変化が大きくなるが、領域Ａ１，Ａ２のように格子点間隔を小さくすることによって色再現特性の差の影響を小さくすることが可能である。また、高明度または低濃度領域においては色再現特性変化が小さいため、領域Ｂのように格子点間隔を大きくしても色再現特性の差の影響は小さくなる。この場合、格子点間隔を大きくすることによって出力補正テーブルの格子点データ量を抑制することができる。
【００５２】
なお、標準色変換テーブルにおける格子点総数と出力補正テーブルにおける格子点総数とを同一にすれば、格子点間隔に差を設けてもデータ量を変化させることなく、標準色変換テーブルを用いて色分解されたカラー画像データをより正確に補正することができる。また、図１２（ｃ）に示すように、出力補正テーブルは、低明度または高濃度領域の格子点データのみを有していてもよい。この場合、色再現特性変化が大きい低明度・高濃度領域のカラー画像信号を効果的に補正することができるとともに、出力補正テーブルのデータ量を抑制することができる。
【００５３】
なお、本実施例においては標準色変換テーブルが４種類用意されているが、それ以上またはそれ以下のテーブルが用意されていてもよい。また、本実施例においては出力補正テーブルが８種類用意されているが、それ以上またはそれ以下のテーブルが用意されていてもよい。さらに、本実施例に係る出力モードは印刷用紙種別、プロセススピード、トナー総量およびトナー定着温度から構成されているが、それ以上の要素から構成されていてもよく、それらのいずれか１つ以上の任意の要素から構成されていてもよい。
【００５４】
また、図３の出力モードに設定されているトナー総量は最適量に設定されているが、最適量よりも少なく設定されていてもよい。トナー総量を少なく設定しても、出力モード色補正処理部１５による補正によって色バランスを保つことができるからである。この場合、トナー使用量を削減することができる。
【００５５】
本実施例においては、標準色変換テーブルが色変換ルックアップテーブルに相当し、出力補正テーブルが補正ルックアップテーブルに相当し、標準色変換処理部１２および出力モード色補正処理部１５が色変換処理部に相当し、色変換テーブル選択部１４が色変換ルックアップテーブル選択手段に相当し、出力補正テーブル選択部１７が補正ルックアップテーブル選択手段に相当する。
【実施例２】
【００５６】
続いて、本発明の第２実施例に係る画像処理装置３ａについて説明する。図１３は、カラー画像処理装置３ａの全体構成を示すブロック図である。カラー画像処理装置３ａが図２のカラー画像処理装置３と異なる点は、コントローラ１０の代わりにコントローラ１０ａを備える点である。コントローラ１０ａは、コントローラ１０の標準色変換処理部１２および出力モード色補正処理部１５の代わりに、合成色変換処理部１２ａを備える。なお、前述した第１実施例と同様の部位には同一符号を付すことで重複する説明を省略する。
【００５７】
合成色変換処理部１２ａは、色変換テーブル格納部１３から標準色変換テーブルを取得し、出力補正テーブル格納部１６から出力補正テーブルを取得する。合成色変換処理部１２ａは、標準色変換テーブルに出力補正テーブルを反映させた合成色変換テーブルを合成し、その合成色変換テーブルに基づいて入力カラー画像信号を補正ＣＭＹＫ画像信号に変換する。この場合、図１０のフローチャートのステップＳ６〜Ｓ９は以下の図１４のステップＳ１６〜ステップＳ１９のように修正される。以下、図１４を参照して説明する。
【００５８】
図１４は、カラー画像処理装置３ａによる画像処理の一例を説明するためのフローチャートである。図１４のフローチャートが図１０のフローチャートと異なる点は、ステップＳ６〜Ｓ９がステップＳ１６〜Ｓ１９に置き換わっている点である。重複するステップについては説明を省略する。図１４に示すように、色変換テーブル選択部１４は、色変換テーブル格納部１３に格納されている複数の標準色変換テーブルから、出力モード設定部１１が取得した印刷目的に対応する標準色変換テーブルを選択する（ステップＳ１６）。次いで、出力補正テーブル選択部１７は、出力補正テーブル格納部１６に格納されている出力補正テーブルから、出力モード設定部１１が取得した出力モードに対応する出力補正テーブルを選択する（ステップＳ１７）。
【００５９】
次に、合成色変換処理部１２ａは、色変換テーブル選択部１４が選択した標準色変換テーブルおよび出力補正テーブル選択部１７が選択した出力補正テーブルに基づいて、合成色変換テーブルを作成する（ステップＳ１８）。次いで、合成色変換処理部１２ａは、合成色変換テーブルを用いて入力カラー画像信号を補正ＣＭＹＫ画像信号に変換して出力装置２２に与え、出力モード設定部１１は出力モードを出力装置２２に与える（ステップＳ１９）。
【００６０】
このように、図１４のフローチャートを用いることによって、標準ＣＭＹＫ画像信号を生成することなく入力カラー画像信号を補正ＣＭＹＫ画像信号に変換することができる。この場合、入力カラー画像信号を補正ＣＭＹＫ画像信号に変換する過程におけるパラメータ数を少なくすることができる。したがって、画像処理装置３ａによる画像処理が簡略化される。なお、本実施例においては、合成色変換処理部１２ａが色変換処理部に相当する。
【実施例３】
【００６１】
続いて、本発明の第３実施例に係るカラー画像処理装置３ｂについて説明する。図１５は、カラー画像処理装置３ｂの全体構成を示すブロック図である。カラー画像処理装置３ｂが図２のカラー画像処理装置３と異なる点は、コントローラ１０の代わりにコントローラ１０ｂを備える点および画像出力部２０の代わりに画像出力部２０ｂを備える点である。
【００６２】
画像出力部２０ｂが画像出力部２０と異なる点は、出力装置２２の代わりに出力装置２２ｂを備える点である。コントローラ１０ｂがコントローラ１０と異なる点は、出力モード設定部１１の代わりに出力モード設定部１１ｂを備える点および色変換テーブル設定部１８をさらに備える点である。なお、前述した第１実施例と同様の部位には同一符号を付すことで重複する説明を省略する。
【００６３】
続いて、カラー画像処理装置３ａの動作について説明する。色変換テーブル設定部１８は、画像入力端末２から印刷目的、印刷用紙種別および画質を取得する。画像入力端末２は、ユーザによる出力指示がなされた場合に、色変換テーブル設定部１８に出力指示を与えるとともに入力カラー画像信号を標準色変換処理部１２に与える。また、色変換テーブル設定部１８は、取得した印刷目的を色変換テーブル選択部１４に与えるとともに、取得した印刷用紙種別および画質を出力モード設定部１１ｂに与える。
【００６４】
ユーザは、出力装置２２ｂによって、各トレイに格納されている印刷用紙種別およびプロセススピードを入力することができる。出力モード設定部１１ｂは、トレイ及びプロセススピードに関する情報を保持していない場合、出力装置２２ｂからトレイおよびプロセススピードを取得する。出力モード設定部１１ｂは、新たにトレイおよびプロセススピードを取得するまで、取得したトレイ及びプロセススピードをその後も保持する。出力モード設定部１１ｂは、取得した印刷用紙種別、画質、トレイおよびプロセススピードに対応する出力モードを選択する。この場合、図３の出力モードから選択される。その後、出力モード設定部１１ｂは、出力補正テーブル選択部１７に出力モードを与える。
【００６５】
色変換テーブル選択部１４は、色変換テーブル格納部１３に格納されている複数の標準色変換テーブルから、ユーザによって入力された印刷目的に対応する標準色変換テーブルを選択して標準色変換処理部１２に与える。出力補正テーブル選択部１７は、選択された出力モードに対応する出力補正テーブルを出力補正テーブル格納部１６に格納されている複数の出力補正テーブルから選択し、その出力補正テーブルを出力モード色補正処理部１５に与える。画像処理装置３ｂのその他の動作は、画像処理装置３と同様である。
【００６６】
図１６は、カラー画像処理装置３の代わりにカラー画像処理装置３ｂを備えるカラー画像処理システム１ｂによる画像処理の一例を説明するためのフローチャートである。以下、図１６のフローチャートにしたがって、カラー画像処理システム１ｂによる画像処理について説明する。
【００６７】
まず、図１６に示すように、画像入力端末２は、ユーザによって入力された印刷目的、印刷用紙種別および画質を取得する（ステップＳ２１）。次に、画像入力端末２は、ユーザによって出力指示がなされたか否かを判定する（ステップＳ２２）。ステップＳ２２において出力指示がなされたと判定されない場合には、画像入力端末２はステップＳ２１の動作から繰り返す。ステップＳ２２において出力指示がなされたと判定された場合には、画像入力端末２は、出力指示を色変換テーブル設定部１８に与える（ステップＳ２３）。
【００６８】
色変換テーブル設定部１８は、画像入力端末２から出力指示があったか否かを判定する（ステップＳ２４）。ステップＳ２４において出力指示があったと判定されなかった場合には、色変換テーブル設定部１８は待機する。ステップＳ２４において出力指示があったと判定された場合には、色変換テーブル設定部１８は画像入力端末２から印刷目的、印刷用紙種別および画質を取得するとともに取得した印刷用紙種別および画質を出力モード設定部１１ｂに与え、標準色変換処理部１２は画像入力端末２から入力カラー画像信号を取得する（ステップＳ２５）。
【００６９】
次に、出力モード設定部１１ｂは、トレイおよびプロセススピードに関する情報を保持しているか否かを判定する（ステップＳ２６）。ステップＳ２６においてトレイおよびプロセススピードに関する情報を保持していないと判定された場合、出力装置２２ｂはトレイおよびプロセススピードを出力モード設定部１１ｂに与える（ステップＳ２７）。出力モード設定部１１ｂは、出力装置２２ｂからトレイおよびプロセススピードを取得する（ステップＳ２８）。
【００７０】
次いで、出力モード設定部１１ｂは、取得した印刷用紙種別、画質、トレイおよびプロセススピードに対応する出力モードを設定する（ステップＳ２９）。なお、ステップＳ２６においてトレイおよびプロセススピードに関する情報を保持していると判定された場合、ステップＳ２９の動作がなされる。次に、色変換テーブル選択部１４は、色変換テーブル格納部１３に格納されている複数の標準色変換テーブルから、色変換テーブル設定部１８が取得した印刷目的に対応する標準色変換テーブルを選択する（ステップＳ３０）。次いで、出力補正テーブル選択部１７は、選択された出力モードに対応する出力補正テーブルを出力補正テーブル格納部１６に格納されている複数の出力補正テーブルから選択する（ステップＳ３１）。
【００７１】
次に、標準色変換処理部１２は、色変換テーブル選択部１４が選択した標準色変換テーブルを用いて、入力カラー画像信号を標準ＣＭＹＫ画像信号に変換する（ステップＳ３２）。次いで、出力モード色補正処理部１５は出力補正テーブル選択部１７が選択した出力補正テーブルを用いて標準ＣＭＹＫ画像信号を補正ＣＭＹＫ画像信号に変換して出力装置２２ｂに与え、出力モード設定部１１ｂは出力モードを出力装置２２に与える（ステップＳ３３）。
【００７２】
次に、出力装置２２ｂは、与えられた出力モードに基づいて出力装置２２ｂの出力モードを設定する（ステップＳ３４）。次いで、出力装置２２ｂは、ステップＳ３２において設定された出力モードと出力モード色補正処理部１５から与えられた補正ＣＭＹＫ画像信号に基づいて、印刷用紙に画像を形成する（ステップＳ３５）。以上の動作により画像処理が終了する。
【００７３】
以上のように、図１６のフローチャートを用いることによって、異なる出力モードに応じて、標準ＣＭＹＫ画像信号を補正することができる。なお、ステップＳ２４〜ステップＳ３３は、コントローラ１０ｂに格納されているカラー画像処理プログラムの命令に基づいている。
【実施例４】
【００７４】
続いて、本発明の第４実施例に係るカラー画像処理システム１ｃについて説明する。図１７は、カラー画像処理システム１ｃの全体構成を示すブロック図である。図１７に示すように、カラー画像処理システム１ｃは、画像入力端末２、プリントサーバ４およびカラープリンタ５を備える。プリントサーバ４は、ネットワーク、パラレルインタフェース、シリアルインタフェース、ＵＳＢ、ＩＥＥＥ１３９４等の通信デバイスによって画像入力端末２およびカラープリンタ５と接続されている。
【００７５】
プリントサーバ４は第１実施例〜第３実施例のコントローラ１０，１０ａ，１０ｂに相当し、カラープリンタ５は第１実施例〜第３実施例の画像出力部２０，２０ｂに相当する。このように、本実施例においては、コントローラおよび画像出力部は、それぞれ別の装置として機能する。本実施例のようにコントローラおよび画像出力部が別の装置に組み込まれていても、上記各実施例の効果が得られる。
【００７６】
なお、上記各実施例においてはコントローラのＲＯＭにカラー画像処理プログラムが格納されているが、例えば、フレキシブルディスク、ハードディスク、光ディスク、光磁気ディスク、ＣＤ−ＲＯＭ、ＣＤ−Ｒ、磁気テープ、不揮発性メモリ、取替え可能なＲＯＭ等の外部記憶媒体に記憶されていてもよい。この場合、外部記憶媒体に記憶されているカラー画像処理プログラムがコントローラのＣＰＵに読み込まれて実行されることによって、本発明と同様の効果が実現される。したがって、本発明に係るカラー画像処理プログラムを格納したこれら外部記憶媒体も本発明を構成する。
【図面の簡単な説明】
【００７７】
【図１】本発明の第１実施例に係るカラー画像処理システムの全体構成を示すブロック図である。
【図２】コントローラおよび画像出力部の詳細を示すブロック図である。
【図３】出力モードの種類を示す図である。
【図４】標準色変換テーブルの一例を示す。
【図５】標準色変換処理部および出力モード色補正処理部による入力カラー画像信号の変換について説明するための図である。
【図６】出力補正テーブルの一例を示す。
【図７】コート紙および普通紙の色再現域（ａ＊ｂ＊）を示す図である。
【図８】コート紙および普通紙の色再現域（ＬＣ）を示す図である。
【図９】明度と彩度との関係を示す図である。
【図１０】カラー画像処理システムによる画像処理の一例を説明するためのフローチャートである。
【図１１】入力カラー画像信号の変換について説明するための図である。
【図１２】出力補正テーブルにおいて設定される格子点数について説明するための図である。
【図１３】カラー画像処理装置の全体構成を示すブロック図である。
【図１４】図１０のフローチャートのステップＳ６〜Ｓ９の他の例を示す。
【図１５】カラー画像処理装置の全体構成を示すブロック図である。
【図１６】カラー画像処理システムによる画像処理の一例を説明するためのフローチャートである。
【図１７】カラー画像処理システムの全体構成を示すブロック図である。
【符号の説明】
【００７８】
１  画像処理システム
２  画像入力端末
３，３ａ，３ｂ  画像処理装置
１０，１０ａ，１０ｂ  コントローラ
１１，１１ｂ  出力モード設定部
１２  標準色変換処理部
１２ａ  合成色変換処理部
１４  色変換テーブル選択部
１５  出力モード色補正処理部
１７  出力補正テーブル選択部
１８  色変換テーブル設定部
２０，２０ｂ  画像出力部
２２，２２ｂ  出力装置
３０  格子点データ
【図１】
0004710532.tif 000002
【図２】
0004710532.tif 000003
【図３】
0004710532.tif 000004
【図４】
0004710532.tif 000005
【図５】
0004710532.tif 000006
【図６】
0004710532.tif 000007
【図７】
0004710532.tif 000008
【図８】
0004710532.tif 000009
【図９】
0004710532.tif 000010
【図１０】
0004710532.tif 000011
【図１１】
0004710532.tif 000012
【図１２】
0004710532.tif 000013
【図１３】
0004710532.tif 000014
【図１４】
0004710532.tif 000015
【図１５】
0004710532.tif 000016
【図１６】
0004710532.tif 000017
【図１７】
0004710532.tif 000018